(57)【要約】【課題】円形穴の内周面に対して精度良好に微細な凹部を形成することができると共に、加工コストの低減を実現する微細凹部加工装置及び微細凹部加工方法を提供する。【解決手段】シリンダボアＢと同軸状態に配置して回転駆動される工具ホルダ１０に、機能部として、ローラ支持部材１２と、凹部形成用のフォームローラ１１と、フォームローラ１１をシリンダボアＢの内周面Ｂａに圧接させる圧縮コイルばね２０を備えると共に、工具ホルダ１０に対してフォームローラ１１がオフセットされた位置に設けてあり、機能部の重心が工具ホルダ１０の回転軸Ｌ１に対してフォームローラ１１側にある微細凹部加工装置１。【選択図】  図１
2006026676.tif 000002
【特許請求の範囲】
【請求項１】
被加工物の円形穴の内周面に微細な凹部を形成する微細凹部加工装置であって、円形穴と同軸状態に配置して回転駆動される工具ホルダに、機能部として、その回転軸に直交する方向に移動可能なローラ支持部材と、ローラ支持部材に対して工具ホルダの回転軸と平行なローラ軸回りに回転自在に設けた凹部形成用のフォームローラと、ローラ支持部材に荷重を付与してフォームローラを円形穴の内周面に圧接させる荷重付与手段を備えると共に、工具ホルダに対してフォームローラがオフセットされた位置に設けてあり、ローラ支持部材、フォームローラ及び荷重付与手段を含む機能部の重心が、工具ホルダの回転軸に対してフォームローラ側にあることを特徴とする微細凹部加工装置。
【請求項２】
被加工物の円形穴の内周面に微細な凹部を形成する微細凹部加工装置であって、円形穴と同軸状態に配置して回転駆動される工具ホルダに、機能部として、その回転軸に直交する方向に移動可能なローラ支持部材と、ローラ支持部材に対して工具ホルダの回転軸と平行なローラ軸回りに回転自在に設けた凹部形成用のフォームローラと、ローラ支持部材に荷重を付与してフォームローラを円形穴の内周面に圧接させる荷重付与手段を備えると共に、工具ホルダに対してフォームローラがオフセットされた位置に設けてあり、ローラ支持部材、フォームローラ及び荷重付与手段を含む機能部の重心が、工具ホルダの回転軸に対してフォームローラの反対側にあることを特徴とする微細凹部加工装置。
【請求項３】
被加工物の円形穴の内周面に微細な凹部を形成する微細凹部加工装置であって、円形穴と同軸状態に配置して回転駆動される工具ホルダに、機能部として、その回転軸に直交する方向に移動可能なローラ支持部材と、ローラ支持部材に対して工具ホルダの回転軸と平行なローラ軸回りに回転自在に設けた凹部形成用のフォームローラと、ローラ支持部材に荷重を付与してフォームローラを円形穴の内周面に圧接させる荷重付与手段を備えると共に、工具ホルダに対してフォームローラがオフセットされた位置に設けてあり、ローラ支持部材、フォームローラ及び荷重付与手段を含む機能部の重心が、工具ホルダの回転軸上にあることを特徴とする微細凹部加工装置。
【請求項４】
ローラ支持部材、フォームローラ及び荷重付与手段を含む機能部に、重心調整用の錘を設けたことを特徴とする請求項１〜３のいずれかに記載の微細凹部加工装置。
【請求項５】
請求項１，２及び４のいずれかに記載の微細凹部加工装置を用いて被加工物の円形穴の内周面に微細な凹部を形成するに際し、工具ホルダの回転速度を変化させて微細な凹部を形成することを特徴とする微細凹部加工方法。
【発明の詳細な説明】
【技術分野】
【０００１】
本発明は、例えば、自動車用エンジンのシリンダブロックにおけるシリンダボア（円形穴）の内周面に、低フリクション化を実現するための微細な凹部（油だまり）を形成するのに用いられる微細凹部加工装置及び微細凹部加工方法に関するものである。
【背景技術】
【０００２】
従来、上記したようなシリンダブロックのシリンダボアの内周面に微細な凹部を形成する場合には、ショットブラストが多く採用されている。このショットブラストでは、シリンダボアの内周面に所定形状の透孔を有するマスキングシートを貼り付けた後、セラミックス等の小径粒子をシリンダボアの内周面に向けて圧縮空気とともに投射することで、内周面の透孔を通して露出している部分に凹部を形成するようにしている。
そして、凹部を形成した後は、マスキングシートを取り外して洗浄するのに続いて、再びホーニングを行うことにより、上記ショットブラスト加工で凹部の周囲に生じた盛上り部分を除去するようにしている。
【特許文献１】特開２００２−３０７３１０
【発明の開示】
【発明が解決しようとする課題】
【０００３】
しかしながら、上記したようなショットブラストによる微細な凹部の形成にあっては、微細な凹部を規則的に配置することが困難であり、加えて、円形穴の内周面に対するマスキングシートの貼り付け工程及び取り外し工程、並びに洗浄工程が不可欠であって、このような作業が多い分だけ加工コストが嵩むという問題があり、これらの問題を解決することが従来の課題となっていた。
【課題を解決するための手段】
【０００４】
本発明は、上記従来の課題に着目して成されたものであって、被加工物の円形穴の内周面に対して精度良好に微細な凹部を形成することができると共に、加工コストの低減を実現することが可能である微細凹部加工装置及び微細凹部加工方法を提供することを目的としている。
【０００５】
本発明の微細凹部加工装置は、被加工物の円形穴の内周面に微細な凹部を形成する微細凹部加工装置であって、円形穴と同軸状態に配置して回転駆動される工具ホルダに、機能部として、その回転軸に直交する方向に移動可能なローラ支持部材と、ローラ支持部材に対して工具ホルダの回転軸と平行なローラ軸回りに回転自在に設けた凹部形成用のフォームローラと、ローラ支持部材に荷重を付与してフォームローラを円形穴の内周面に圧接させる荷重付与手段を備えている。
【０００６】
この微細凹部加工装置は、工具ホルダを円形穴と同軸状態に配置してフォームローラを円形穴の内周面に圧接させると共に、工具ホルダを回転駆動することで、円形穴の内周面に添ってフォームローラを転動させ、円形穴の内周面に微細な凹部を連続的に形成する。また、工具ホルダを回転駆動しながら回転軸の軸線方向に移動させることで、微細な凹部を円形穴の内周面の軸線方向に規則的に形成する。
【０００７】
さらに、当該微細凹部加工装置は、工具ホルダに対してフォームローラがオフセットされた位置に設けてあると共に、ローラ支持部材、フォームローラ及び荷重付与手段を含む機能部の重心が、工具ホルダの回転軸に対してフォームローラ側、又は工具ホルダの回転軸に対してフォームローラの反対側、又は工具ホルダの回転軸上にあることを特徴としており、機能部に重心調整用の錘を設けることで、機能部の重心位置を選択することが可能である。
【０００８】
そして、とくに、機能部の重心が工具ホルダの回転軸からずれているものでは、被加工物の円形穴の内周面に微細な凹部を形成するに際し、工具ホルダの回転速度を変化させて微細な凹部を形成する微細凹部加工方法を採用することができる。
【０００９】
この微細凹部加工方法では、工具ホルダの回転速度を変化させると、機能部の重心が工具ホルダの回転軸からフォームローラ側又はその反対側にずれているので、フォームローラに作用する遠心力が増加あるいは減少してフォームローラの圧接力が変化することとなり、これにより微細な凹部の深さが変化する。
【発明の効果】
【００１０】
本発明の微細凹部加工装置によれば、被加工物の円形穴の内周面に微細な凹部を高効率で且つ高精度に形成することができ、加えて、同内周面に対してフォームローラを一定荷重で圧接させることができるので、微細な凹部を加工する前の加工面を精度良く仕上げておく必要がなく、この前工程を省略することができ、その結果、加工コストの大幅な低減を実現することが可能である。
【００１１】
本発明の微細凹部加工装置は、機能部の重心位置の相違によって次の効果を得ることができる。すなわち、工具ホルダの回転軸に対して機能部の重心がフォームローラ側にある場合では、主として、工具ホルダの回転速度を高めるだけで、円形穴の内周面に対するフォームローラの圧接力を増大させることができる。また、工具ホルダの回転軸に対して機能部の重心がフォームローラの反対側にある場合では、主として、工具ホルダの回転速度を高めるだけで、円形穴の内周面に対するフォームローラの圧接力を減少させることができる。さらに、工具ホルダの回転軸上に機能部の重心がある場合には、工具ホルダの回転速度が変化しても、円形穴の内周面に対するフォームローラの圧接力を一定に維持することができる。
【００１２】
本発明の微細凹部加工方法によれば、機能部の重心が工具ホルダの回転軸からずれている微細凹部加工装置を用いると共に、工具ホルダの回転速度を変化させるだけで、円形穴の内周面に対するフォームローラの圧接力を簡単にコントロールすることができる。つまり、特別な荷重調整機構を必要としないので、構造が簡単で比較的安価な装置と簡単な制御により、様々な深さの凹部の形成に対応することができ、例えば、異なる円形穴の内周面に対して深さが異なる凹部を形成したり、一つの円形穴の内周面に対して連続的に深さが変化する凹部を形成したりすることができる。
【実施例】
【００１３】
以下、図面に基づいて、本発明を実施例により更に詳細に説明するが、本発明は以下の実施例に限定されるものではない。
【００１４】
図２に示す微細凹部加工装置１は、自動車用エンジンのシリンダブロックを被加工物とし、円形穴であるシリンダボアの内周面に微細な凹部を形成するＮＣ工作機械であって、鉛直方向に移動可能な主軸ヘッド２と、主軸ヘッド２に下向きに突出した状態で支持される主軸３と、主軸ヘッド２の下側において水平面内で互いに直交する二軸方向に移動可能な被加工物載置用のテーブル４と、主軸３に同軸に装着されて一体で回転する工具ホルダ１０を備えており、図示しない自動工具交換装置により、主軸３に対して工具ホルダ１０の着脱を行うようになっている。
【００１５】
工具ホルダ１０は、図１に示すように、主軸３に装着する部位であるシャンク部１０Ａと、その下側に連続するボディ部１０Ｂを有しており、ボディ部１０Ｂの下側には、アダプタ１０Ｃを介して、外周部に微細な凹凸を有するフォームローラ１１と、フォームローラ１１を回転自在に支持するローラ支持部材１２と、ローラ支持部材１２を保持するハウジング１３を備えている。
【００１６】
フォームローラ１１は、シリンダボアＢの直径よりも小さい直径を有する。このフォームローラ１１は、材料がとくに限定されるものではないが、例えば、超硬、超硬以外の硬質金属やアルミナ、窒化珪素等のセラミックスなどから成るものであって、高い強度と靭性を有しており、被加工物が焼入れ鋼などの高硬度材料であっても微細な凹部を形成することができる。
【００１７】
ローラ支持部材１２は、その下部に、複列アンギュラ玉軸受１５を介して支持軸１４を回転自在に備えており、支持軸１４の下部にフォームローラ１１が固定してある。このとき、主軸３による工具ホルダ１０の回転軸Ｌ１と、支持軸１４によるフォームローラ１２のローラ軸Ｌ２とは互いに平行である。
【００１８】
ハウジング１３は、ボディ部１０Ｂにアダプタ１０Ｃを介して連結した中空ブロック状を成すものであって、下端側中空部分には、軸線方向を水平にしたスプラインナット１７が嵌合固定してあり、このスプラインナット１７と、ローラ支持部材１２に連結したスプラインシャフト１８とを互いにスプライン結合することで、ローラ支持部材１２を主軸３と直交する方向に移動可能にしている。
【００１９】
ローラ支持部材１２と、ハウジング１３の上端側中空部分に嵌合したキャップ１９との間には、荷重付与手段としての圧縮コイルばね２０が介装してあり、ローラ支持部材１２に対して主軸３と直交する方向の荷重を付与することで、シリンダボアＢの内周面Ｂａにフォームローラ１１の外周部を圧接させる。この場合、キャップ１９と圧縮コイルばね２０との間には、荷重検出手段としての圧電型のロードセル２１が設けてある。
【００２０】
また、スプラインシャフト１８には、ローラ支持部材１２と反対側の端部に、スプラインシャフト１８の直径よりも大径の止め具２２が固定してあり、この止め具２２は、圧縮コイルばね２０の伸びを抑えると共に、この圧縮コイルばね２０が伸びきった際の衝撃を緩和し、そして、ハウジング１３からローラ支持部材１２が脱落するのを阻止する。
【００２１】
さらに、圧縮コイルばね２０とロードセル２１の間には、圧縮コイルばね２０に予圧を与える調整駒２３が設けてあり、この調整駒２３の長さ（圧縮コイルばね２０の伸縮方向の長さ）を選択することで、予圧力を調整することができる。なお、ロードセル２１は、調整駒２３との接触部２１ａを球面状の突部としており、これにより、圧縮コイルばね２０の伸縮方向に対する倒れを吸収することができる。
【００２２】
ハウジング１３と連結したアダプタ１０Ｃは、図示しないステッピングモータを具備した移動機構を内蔵しており、この移動機構の作動により、ハウジング１３に保持したフォームローラ１１をシリンダボアＢの内周面Ｂａに対して近接離間させることができるようになっている。
【００２３】
上記の微細凹部加工装置１は、シリンダボア（円形穴）Ｂと同軸状態に配置して回転駆動される工具ホルダ１０に、機能部として、その回転軸Ｌ１に直交する方向に移動可能なローラ支持部材１２と、ローラ支持部材１２に対して工具ホルダ１０の回転軸Ｌ１と平行なローラ軸Ｌ２回りに回転自在に設けた凹部形成用のフォームローラ１１と、ローラ支持部材１２に荷重を付与してフォームローラ１１をシリンダボア（円形穴）Ｂの内周面Ｂａに圧接させる荷重付与手段（圧縮コイルばね２０）を備えたものとなっている。
【００２４】
そして、微細凹部加工装置１は、工具ホルダ１０に対してフォームローラ１１がオフセットされた位置に設けてあり、ローラ支持部材１２、フォームローラ１１及び荷重付与手段（圧縮コイルばね２０）を含む機能部、すなわちこの実施例ではアダプタ１０Ｃからフォームローラ１１に至る機能部の重心が、工具ホルダ１０の回転軸Ｌ１に対してフォームローラ１１側にある。
【００２５】
上記の微細凹部加工装置１において、シリンダボアＢの内周面Ｂａに微細凹部を形成するに際しては、まず、工具ホルダ１０の回転軸Ｌ１とシリンダボアＢの中心軸とを一致させるように位置決めをして、主軸３とともに工具ホルダ１０を下降させ、シリンダボアＢ内にフォームローラ１１を挿入する。
【００２６】
次に、アダプタ１０Ｃ内の移動機構を作動させて、シリンダボアＢの内周面Ｂａに対してフォームローラ１１を接触させ、ロードセル２１により検出した荷重が予め設定した値になるまでアダプタ１０Ｃ内の移動機構の作動を継続させる。
【００２７】
つまり、シリンダボアＢの内周面Ｂａにフォームローラ１１が接触した後、アダプタ１０Ｃ内の移動機構の作動を継続させると、ローラ支持部材１２とハウジング１３との間で圧縮コイルばね２０が圧縮され、その反発力が荷重としてフォームローラ１１に付与されると共に、ロードセル２１によりこの荷重が検出されることから、このロードセル２１の検出荷重が設定値になるまでアダプタ１０Ｃ内の移動機構の作動を継続させれば、フォームローラ１１がシリンダボアＢの内周面Ｂａに所定荷重で圧接することとなる。
【００２８】
そして、上記のように、荷重の設定値を検出した段階において、アダプタ１０Ｃ内の移動機構の作動を停止し、主軸３により工具ホルダ１０を回転駆動すると、シリンダボアＢの内周面Ｂａに圧接しているフォームローラ１１が連れ回りし、このフォームローラ１１の転動によってシリンダボアＢの内周面Ｂａに微細な凹部が形成される。この際、主軸３の回転と下降速度とを同期させると、シリンダボアＢの内周面Ｂａの広い領域に微細な凹部を形成することができる。
【００２９】
このように、この実施例による微細凹部加工装置１では、シリンダボアＢの内周面Ｂａに微細な凹部を高精度で形成することができ、これにより同内周面Ｂａに施す前加工を省略することが可能となり、工程数の削減及び低コスト化を実現し得る。
【００３０】
また、上記の微細凹部加工装置１は、機能部の重心が工具ホルダ１０の回転軸Ｌ１に対してフォームローラ１１側にあることから、以下に述べるように、主軸３による工具ホルダ１０の回転速度を変化させることで、微細な凹部の深さを変化させることができる。
【００３１】
図３は、シリンダボアＢの内周面Ｂａに対するフォームローラ１１の圧接力である押し付け荷重と微細な凹部の深さの関係を示すグラフであり、押し付け荷重の増大に伴って凹部の深さが増大することを表している。また、図４は、主軸３の回転数（工具ホルダ１０の回転数）とフォームローラ１１側に作用する遠心力の関係を示すグラフであり、先述したように、機能部の重心が工具ホルダ１０の回転軸Ｌ１に対してフォームローラ１１側にある場合には、主軸３の回転数が増大すればフォームローラ１１側に作用する遠心力は増大する。
【００３２】
そこで、当該微細凹部加工装置１では、凹部を加工するに際し、主軸３の回転数を初期設定値Ｎ０から任意設定値Ｎ１に至る間で連続的に増減させ、このような主軸３の回転数制御と主軸３の下降速度とを同期させる。これにより、フォームローラ１１に作用する遠心力が連続的に増減して、フォームローラ１１の押し付け荷重が初期設定値Ｆ０から任意設定値Ｆ０＋Ｆ１に至る間で連続的に増減する。
【００３３】
その結果、図５に示すように、シリンダボアＢの軸線方向（図５において上下方向）に対して深さが漸次変化する凹部Ａを形成することができる。この場合、凹部Ａの深さは、初期設定値ｄ０から漸次増大して任意設定値ｄ１に至り、その後、初期設定値ｄ０まで漸次減少したものとなる。
【００３４】
次に、本発明の微細凹部加工装置１は、他の実施例として、図１に示すものと同様の構成において、ローラ支持部材１２、フォームローラ１１及び荷重付与手段（圧縮コイルばね２０）を含む機能部の重心が、工具ホルダ１０の回転軸Ｌ１に対してフォームローラ１１の反対側にあるものとすることで、以下に述べるように、主軸３による工具ホルダ１０の回転速度を変化させて、微細な凹部の深さを変化させることができる。
【００３５】
図６は、シリンダボアＢの内周面Ｂａに対するフォームローラ１１の圧接力である押し付け荷重と微細な凹部の深さの関係を示すグラフであり、押し付け荷重の増大に伴って凹部の深さが増大することを表している。また、図７は、主軸３の回転数（工具ホルダ１０の回転数）とフォームローラ１１側に作用する遠心力の関係を示すグラフであり、機能部の重心が工具ホルダ１０の回転軸Ｌ１に対してフォームローラ１１の反対側にある場合には、主軸３の回転数が増大すればフォームローラ１１側に作用する遠心力は減少する。
【００３６】
そこで、当該微細凹部加工装置１では、凹部を加工するに際し、主軸３の回転数を初期設定値Ｎ０から任意設定値Ｎ１に至る間で連続的に増減させ、このような主軸３の回転数制御と主軸３の下降速度とを同期させる。これにより、フォームローラ１１に作用する遠心力が連続的に且つ反比例的に増減して、フォームローラ１１の押し付け荷重が初期設定値Ｆ０から任意設定値Ｆ０−Ｆ１に至る間で連続的に増減する。
【００３７】
その結果、図８に示すように、シリンダボアＢの軸線方向（図８において上下方向）に対して深さが漸次変化する凹部Ａを形成することができる。この場合、凹部Ａの深さは、初期設定値ｄ０から漸次減少して任意設定値ｄ１に至り、その後、初期設定値ｄ０まで漸次増大したものとなる。
【００３８】
さらに、本発明の微細凹部加工装置１は、さらに他の実施例として、図１に示すものと同様の構成において、ローラ支持部材１２、フォームローラ１１及び荷重付与手段（圧縮コイルばね２０）を含む機能部の重心が、工具ホルダ１０の回転軸Ｌ１上にあるものとすることができる。
【００３９】
この場合には、主軸３の回転数（工具ホルダ１０の回転数）の大きさに係わらず、シリンダボアＢの内周面Ｂａに対するフォームローラ１１の圧接力が一定に維持され、常に一定の深さの微細な凹部を形成することができる。
【００４０】
さらに、上記各実施例の微細凹部加工装置１は、機能部の重心を設定する手段として、重心調整用の錘を備えたものとし、例えば図１に示す構造では、ローラ支持部材１２及び止め具２２に錘の機能を付加することができ、極めて簡単な構成で重心の設定を自由に行うことが可能となる。
【００４１】
この場合、基本的な構成としては、機能部の重心が工具ホルダ１０の回転軸Ｌ１上にあるものとしておき、重心をフォームローラ１１側にする場合には、ローラ支持部材１２に錘の機能を付加し、重心をフォームローラ１１の反対側にする場合には、止め具２２に錘の機能を付加するようにし、また、重量が異なるローラ支持部材１２及び止め具２２を予め幾つか用意して、これらを選択的に使用することが可能である。
【００４２】
ここで、図９は、重量が異なる錘Ｗａ〜Ｗｃに対して、主軸３の回転数（工具ホルダ１０の回転数）と遠心力の関係を示すグラフである。この場合、錘Ｗａは重量小、錘Ｗｂは重量中、及び錘Ｗｃは重量大であり、錘の重量が大きくなるほど大きな遠心力が得られることが判る。したがって、高い主軸回転数Ｎ１を有する加工装置では、軽量の錘Ｗａを用いて短時間で効率良く微細な凹部を形成することができ、また、低い主軸回転数Ｎ２，Ｎ３しか得られない加工装置を用いた場合でも、重量が大きい錘Ｗｂ，Ｗｃを用いることで、同等の遠心力を得て同じ凹部を形成することができる。
【００４３】
このように、上記各実施例の微細凹部加工装置１のうち、とくに機能部の重心が工具ホルダ１０の回転軸Ｌ１からずれているものについては、本発明の微細凹部加工方法に適用することが可能であって、主軸３の回転速度（工具ホルダ１０の回転速度）を変化させるだけで、シリンダボアＢの内周面Ｂａに対するフォームローラ１１の圧接力を簡単にコントロールすることができ、例えば、異なる円形穴の内周面に対して深さが異なる凹部を形成したり、図５及び図８に示す如く一つの円形穴の内周面に対して連続的に深さが変化する凹部を形成したりすることができる。
【００４４】
なお、本発明の微細凹部加工装置は、上記各実施例以外に、フォームローラ１１の外周部の先端形状や主軸３の送りを選択することで、様々な形状や配置の凹部を形成することができるほか、溝状に連続する凹部や点線状の不連続の凹部を形成することができ、この際、フォームローラ１１の転動に伴って微細な凹部を形成するので、工具磨耗も非常に少ないものとなり、その結果、工具寿命を長く持たせることができる。
【００４５】
また、微細凹部加工装置は、上記各実施例以外の様々な実施態様にも適用されるものである。例えば、フォームローラ１１に微細な凹凸を複数列設けるような構成としたり、あるいは、荷重付与手段の荷重を変えるために、圧縮コイルばね２０を交換可能にしたりしてもよい。また、荷重付与手段として圧縮コイルばね２０を例に挙げたが、一定の荷重を付与するような弾性体であればその他のものも適用可能である。
【００４６】
さらに、微細凹部加工装置は、上記各実施例ではローラ支持部材１２及び止め具２２に錘の機能を付加した場合を説明したが、別体の錘を採用することも当然可能であり、例えば、基本的な構成として機能部の重心を工具ホルダ１０の回転軸Ｌ１上とし、フォームローラ１１側及びその反対側に対して選択的に錘を着脱可能にした構成や、基本的な構成として機能部の重心を一方側に偏倚させ、少なくとも他方側に対して選択的に錘を着脱可能にした構成などにより、機能部の重心を自由に設定することが可能となる。
【産業上の利用可能性】
【００４７】
上記した微細凹部加工装置１を用いて円形孔の内周面に微細凹部を形成すると、この円形孔を有する部材の低コスト化が図られ、また、上記したように、微細凹部加工装置１を用いて自動車用部品、例えば、シリンダブロックのシリンダボアＢの内周面Ｂａに微細凹部を形成すると、部品の低コスト化が図られるのに加えて、フリクションの低減及びエンジン性能の向上を実現し得る。
【図面の簡単な説明】
【００４８】
【図１】本発明の微細凹部加工装置の一実施例を説明する要部の断面図である。
【図２】微細凹部加工装置の全体を示す斜視図である。
【図３】押し付け荷重と微細凹部の深さの関係を示すグラフである。
【図４】主軸回転数と遠心力の関係を示すグラフである。
【図５】シリンダボアに形成した凹部を説明する断面図である。
【図６】押し付け荷重と微細凹部の深さの関係を示すグラフである。
【図７】主軸回転数と遠心力の関係を示すグラフである。
【図８】シリンダボアに形成した凹部を説明する断面図である。
【図９】重量が異なる錘に対して主軸回転数と遠心力の関係を示すグラフである。
【符号の説明】
【００４９】
Ａ      凹部
Ｂ      シリンダボア（円形穴）
Ｂａ    内周面
Ｌ１    工具ホルダの回転軸
Ｌ２    ローラ回転軸
１０    工具ホルダ
１１    フォームローラ（機能部）
１２    ローラ支持部材（機能部：錘）
２０    圧縮コイルばね（荷重付与手段：機能部
２２    止め具（錘）
【図１】
2006026676.tif 000003
【図２】
2006026676.tif 000004
【図３】
2006026676.tif 000005
【図４】
2006026676.tif 000006
【図５】
2006026676.tif 000007
【図６】
2006026676.tif 000008
【図７】
2006026676.tif 000009
【図８】
2006026676.tif 000010
【図９】
2006026676.tif 000011